(57)【要約】  本発明の一面によれば、ＥＳＳパック設置用ジグセットは、ＥＳＳパックを壁体またはこれに相応する構造物に設置するときに用いられるものであって、前記ＥＳＳパックのケースの一面に一部が突出して結合可能に設けられるマウントユニットと、作業者が把持可能に設けられるハンドルバー、及び前記ハンドルバーと一体で連結され、前記マウントユニットの突出部位に着脱可能に設けられるロッキングバーから構成されたハンドルユニットと、を含み得る。
2019511814.tif 000002
【特許請求の範囲】
【請求項１】
ＥＳＳパックを壁体またはこれに相応する構造物に設置するときに用いられるＥＳＳパック設置用ジグセットであって、
前記ＥＳＳパックのケースの一面に一部が突出して結合可能に設けられるマウントユニットと、
作業者が把持可能に設けられるハンドルバー、及び前記ハンドルバーと一体で連結され、前記マウントユニットの突出部位に着脱可能に設けられるロッキングバーから構成されたハンドルユニットと、を含むことを特徴とするＥＳＳパック設置用ジグセット。
【請求項２】
前記マウントユニットは、長手方向に沿って、締結部、掛金部、ヘッド部と定義され、前記締結部は、前記ＥＳＳパックのケースの内部に固定結合し、前記掛金部及び前記ヘッド部は前記ＥＳＳパックのケースの外部に露出し、前記掛金部の直径は前記ヘッド部の直径よりも小さく形成され、
前記ロッキングバーは、前記掛金部の長さよりも小さい厚さを有するプレートの形態として設けられ、前記プレートの厚さを形成する一面に、前記掛金部の直径よりは大きく形成され、かつ前記ヘッド部の直径よりは小さく形成される開口と、前記開口から内側へ拡張し形成された係止空間を備える係止部と、を含むことを特徴とする請求項１に記載のＥＳＳパック設置用ジグセット。
【請求項３】
前記係止空間は、前記開口の形成方向と同一な前後方向の空間幅が、前記前後方向と交差する上下方向の空間幅よりも狭く形成され、前記前後方向の空間幅は、前記ヘッド部の直径よりも小さいことを特徴とする請求項２に記載のＥＳＳパック設置用ジグセット。
【請求項４】
前記開口が前記係止空間の中心領域に位置し、前記係止部がＣ字形を成すことを特徴とする請求項３に記載のＥＳＳパック設置用ジグセット。
【請求項５】
前記開口は、前記係止空間に向けて先細になる形態を有することを特徴とする請求項３に記載のＥＳＳパック設置用ジグセット。
【請求項６】
前記マウントユニットは複数個が設けられ、前記ＥＳＳパックのケースに対して垂直方向及び水平方向の少なくともいずれか一方に相互所定間隔に離隔して配置され、
前記ロッキングバーには、相互離隔して配置された前記マウントユニットに一対一対応可能に相互離隔した位置に複数個の係止部が形成されたことを特徴とする請求項２に記載のＥＳＳパック設置用ジグセット。
【請求項７】
前記複数個のマウントユニットは、前記ＥＳＳパックのケース背面の左側エッジ部に上下方向に配置される第１マウントユニット群、及び前記ＥＳＳパックのケース背面の右側エッジ部に上下方向に配置される第２マウントユニット群を含み、
前記ハンドルユニットは、前記第１マウントユニット群に着脱する第１ハンドルユニット、及び前記第２マウントユニット群に着脱する第２ハンドルユニットを含むことを特徴とする請求項６に記載のＥＳＳパック設置用ジグセット。
【請求項８】
前記ハンドルバーと前記ロッキングバーとが、９０°以上の角度をなすことを特徴とする請求項１に記載のＥＳＳパック設置用ジグセット。
【請求項９】
前記マウントユニットが、前記ＥＳＳパックのケースを形成する前面カバープレートと背面カバープレートとを一体に結合させるボルト形態の部材であることを特徴とする請求項１に記載のＥＳＳパック設置用ジグセット。
【発明の詳細な説明】
【技術分野】
【０００１】
本発明は、電力貯蔵装置設置用ジグセットに関し、より詳しくは、ＥＳＳバッテリーパックの壁体またはこれに相応する構造物への設置時、作業者がＥＳＳバッテリーパックを容易にハンドリングするためのジグセットに関する。
【０００２】
本出願は、２０１６年１１月２１日出願の韓国特許出願第１０−２０１６−０１５５０６２号に基づく優先権を主張し、該当出願の明細書及び図面に開示された内容は、すべて本出願に援用される。
【背景技術】
【０００３】
最近、二次電池のメーカーは、家庭用ＥＳＳ（Ｅｎｅｒｇｙ  Ｓｔｏｒａｇｅ  Ｓｙｓｔｅｍ）パックを新製品として発売しつつある。これらのＥＳＳパックは、リチウムイオンバッテリーであって、昼間には電力を貯蔵しておき、必要に応じて取り出して使用することで電気料を節減できるようにする。例えば、リチウムイオンバッテリーにおいて太陽光パネルや風力発電などを用いて生成した電気を貯蔵しておき、取り出して使用する形態が挙げられる。
【０００４】
例えば、家庭用ＥＳＳパックは、大きさが約１２０×８０×２０ｃｍ内外であり、重さは約１００ｋｇ程度であり、複数個を連結して用い得る。勿論、ＥＳＳパックは、貯蔵容量に応じて大きさ及び重さを相違に構成することもできる。
【０００５】
家庭用ＥＳＳパックは、使用者の便宜性及び空間活用性のために壁掛けの形態で製作され、室内または室外の壁または柱などに設置され得るが、このような場合、通常、該当製品の特性に合わせて壁掛け用ブラケットを加えてもよい。
【０００６】
一方、従来のＥＳＳパック１には、図１に概略的に示したように、設置作業者の便宜性のために取っ手２をさらに構成する場合が多い。通常のＥＳＳパックの重さが１００ｋｇ以上である点を考えれば、取っ手がなければ一般の作業者がＥＳＳパックをハンドリングしにくく、さらに、ＥＳＳパックを所定の高さに持ち上げることはさらに難しい。しかし、ＥＳＳパックにおいて取っ手の構成は、ＥＳＳパックの設置時のみに必要な部分であるため、ＥＳＳパックそのものの効用性に寄与する部分はほとんどない。言い換えれば、ＥＳＳパックの取っ手は、設置の便宜性面で存在の意味があるが、設置後はＥＳＳパックの空間を占める無駄な構成部分となる。さらに、取っ手が含まれるように設計されたＥＳＳパックは、部品がさらに加えられ、それによって構造が変更されるため、経済的ではないという不具合がある。
【発明の概要】
【発明が解決しようとする課題】
【０００７】
本発明は、上記問題点に鑑みてなされたものであり、ＥＳＳパックにおいて取っ手の構成を無くし、ＥＳＳパックの設置時にＥＳＳパックを容易にハンドリングできるＥＳＳパック設置用ジグセットを提供することを目的とする。
但し、本発明が解決しようとする課題はこれに限定されず、ここに言及されていないさらに他の技術的課題は、以下に記載された発明の説明からより明確に理解されるだろう。
【課題を解決するための手段】
【０００８】
本発明の一面によれば、ＥＳＳパックを壁体またはこれに相応する構造物に設置するときに用いられるＥＳＳパック設置用ジグセットであって、前記ＥＳＳパックのケースの一面に一部が突出して結合可能に設けられるマウントユニットと、作業者が把持可能に設けられるハンドルバー、及び前記ハンドルバーと一体で連結され、前記マウントユニットの突出部位に着脱可能に設けられるロッキングバーから構成されたハンドルユニットと、を含むＥＳＳパック設置用ジグセットが提供され得る。
【０００９】
前記マウントユニットは、長手方向に沿って、締結部、掛金部、ヘッド部と定義され、前記締結部は、前記ＥＳＳパックケースの内部に固定結合し、前記掛金部及び前記ヘッド部は前記ＥＳＳパックケースの外部に露出し、前記掛金部の直径は前記ヘッド部の直径よりも小さく形成され、前記ロッキングバーは、前記掛金部の長さよりも小さい厚さを有するプレートの形態として設けられ、前記プレートの厚さを形成する一面に、前記掛金部の直径よりは大きく形成され、かつ前記ヘッド部の直径よりは小さく形成される開口と、前記開口から内側へ拡張し形成された係止空間を備える係止部と、を含み得る。
【００１０】
前記係止空間は、前記開口の形成方向と同一な前後方向の空間幅が、前記前後方向と交差する上下方向の空間幅よりも狭く形成され、前記前後方向の空間幅は、前記ヘッド部の直径よりも小さくてもよい。
【００１１】
前記開口は前記係止空間の中心領域に位置し、前記係止部はＣ字形を成し得る。
【００１２】
前記開口は、前記係止空間に向けて先細になる形態を有し得る。
【００１３】
前記マウントユニットは複数個が設けられ、前記ＥＳＳパックケースに対して垂直方向及び水平方向の少なくともいずれか一方に相互所定間隔に離隔して配置され、前記ロッキングバーには、相互離隔して配置された前記マウントユニットに一対一対応可能に相互離隔した位置に複数個の係止部が形成され得る。
【００１４】
前記複数個のマウントユニットは、前記ＥＳＳパックケース背面の左側エッジ部に上下方向に配置される第１マウントユニット群、及び前記ＥＳＳパックケース背面の右側エッジ部に上下方向に配置される第２マウントユニット群を含み、前記ハンドルユニットは、前記第１マウントユニットに着脱する第１ハンドルユニット、及び前記第２マウントユニットに着脱する第２ハンドルユニットを含み得る。
【００１５】
前記ハンドルバーと前記ロッキングバーとは、９０°以上の角度をなし得る。
【００１６】
前記マウントユニットは、前記ＥＳＳパックケースを形成する前面カバープレートと背面カバープレートとを一体に結合させるボルト形態の部材であり得る。
【発明の効果】
【００１７】
本発明一面によれば、既存のＥＳＳパッグにおいて、取っ手の構成を無くし、ＥＳＳパックの設置時にＥＳＳパックを容易にハンドリングできるＥＳＳパック設置用ジグセットを提供することができる。
【００１８】
本発明の他面によれば、マウントユニットは、ＥＳＳパックの運搬に用いられるジグセットの構成であるだけでなく、ＥＳＳパックのケース組立部品を締結する用途を兼ねることができる。
【００１９】
また、ハンドルユニットは、作業者が携帯することができるため、互換可能なＥＳＳパックの設置時に再使用することができる。
【００２０】
また、ＥＳＳパック設置用ジグセットの構成によれば、ＥＳＳパックに取っ手を設計しなくてもよいので、ＥＳＳパックの製造コストを節減することができる。
【図面の簡単な説明】
【００２１】
【図１】従来のＥＳＳパックの概略的な構成を示した斜視図である。
【図２】本発明の一実施例によるＥＳＳパック設置用ジグセットを示した斜視図である。
【図３】本発明の一実施例によるＥＳＳパック設置用ジグセットをＥＳＳパックに装着した状態を示した斜視図である。
【図４】本発明の一実施例によるマウントユニットが結合したＥＳＳパックの背面を示した図である。
【図５】図４におけるマウントユニットのいずれか一つを拡大した斜視図である。
【図６】本発明の一実施例によるハンドルユニットの係止部を拡大した図である。
【図７】図６の係止部を他の角度から見た図である。
【図８】本発明の一実施例によるハンドルユニットをマウントユニットに付着する前の状態を示す部分拡大斜視図である。
【図９】本発明の一実施例によるハンドルユニットをマウントユニットに付着した状態を示す部分拡大斜視図である。
【図１０】本発明の一実施例によるハンドルユニットを付着したＥＳＳパックの背面図である。
【図１１】図６の実施例に対応する変形例を示した図である。
【発明を実施するための形態】
【００２２】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００２３】
したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００２４】
本発明の実施形態は、通常の技術者に本発明をより完全に説明するために提供されるものであり、図面における構成要素の形状及び大きさなどは、より明確な説明のために誇張または省略されるか、概略的に示されることがある。したがって、各構成要素の大きさや割合は、実際の大きさや割合を完全に反映することではない。
【００２５】
図２は、本発明の一実施例によるＥＳＳパック設置用ジグセットを示した斜視図であり、図３は、本発明の一実施例によるＥＳＳパック設置用ジグセットをＥＳＳパックに装着した状態を示した斜視図であり、図４は、本発明の一実施例によるマウントユニットが結合したＥＳＳパックの背面を示した図であり、図５は、図４のマウントユニットのうちいずれか一つを拡大した斜視図であり、図６は、本発明の一実施例によるハンドルユニットの係止部を拡大した図であり、図７は、図６の係止部を他の角度から見た図である。
【００２６】
これらの図面を参照すれば、本発明の一実施例によるＥＳＳパック設置用ジグセット２０は、ＥＳＳパックケース１０の一面に結合するマウントユニット１００と、前記マウントユニット１００に着脱可能に設けられるハンドルユニット２００と、を含む。
【００２７】
本実施例によるＥＳＳパック設置用ジグセット２０が適用されるＥＳＳパックには、マウントユニット１００がＥＳＳパックの背面カバープレートに結合することで別途の取っ手が不要となる。前記マウントユニット１００は、ＥＳＳパックの組立用部品として使用可能であり、ＥＳＳパックを運ぶときは、ハンドルユニット２００を付着可能にする構成要素である。ハンドルユニット２００は、ＥＳＳパックに結合したマウントユニット１００に着脱可能な構成としてＥＳＳパックの設置時に用いられ得、ＥＳＳパックの設置後、作業者が保管してから他のＥＳＳパックの設置にさらに再使用することができる。
【００２８】
先ず、マウントユニット１００を見れば、マウントユニット１００は、複数個が設けられ得、ＥＳＳパックの背面カバープレート１４の両サイドに垂直方向へ相互所定間隔に離隔して配置されるようにＥＳＳパックケース１０に締結し得る。ここで、隣接するマウントユニット１００同士の間隔は、後述するハンドルユニット２００の係止部２２１の間隔に相応する間隔である。
【００２９】
より具体的には、図４に示したように、複数個のマウントユニット１００は、第１マウントユニット群Ｇ１及び第２マウントユニット群Ｇ２を含み、第１マウントユニット群Ｇ１は、ＥＳＳパックケース１０の背面の左側エッジ部分に上下方向に配置されるマウントユニット１００として定義され得、第２マウントユニット群Ｇ２は、ＥＳＳパックケース１０の背面の右側エッジ部分に上下方向に配置されるマウントユニット１００として定義され得る。
【００３０】
前記第１マウントユニット群Ｇ１には、いずれか一つのハンドルユニット２００が着脱し、前記第２マウントユニット群Ｇ２には、他の一つのハンドルユニット２００が着脱し得る。これによって、ＥＳＳパックは、背面の両サイドに二つのハンドルユニット２００を付着し、二人の作業者が一方ずつ担当することができる。
【００３１】
勿論、ＥＳＳパックケース１０の設計によっては、複数個のマウントユニット１００は、ＥＳＳパックケース１０に対して垂直方向及び水平方向の少なくとも一方へ相互所定間隔に離隔して配置され得る。
【００３２】
マウントユニット１００は、前記ＥＳＳパックケース１０を形成する前面カバープレート１２と背面カバープレート１４とを一体で結合させるボルト形態として設けられ得る。
【００３３】
即ち、図２及び図５に示したように、マウントユニット１００は、長手方向を基準にして、締結部１１０、掛金部１２０、ヘッド部１３０として定義され得る。前記締結部１１０は、ボルトに類似な形態で周りにねじ山を備えてＥＳＳパックケースの内部に締結し得る。ＥＳＳパックの前面カバープレート１２の両サイドと背面カバープレート１４の両サイドとは、このような締結部１１０によって相互固定して結合できる。締結部１１０をＥＳＳパックケース１０に締め付けるとき、スパナを使用できるようにヘッド部１３０にはナット形状が設けられ得る。勿論、ナット形状のヘッド部１３０によって本発明の権利範囲が限定されることではない。または、ヘッド部１３０は、十字形または一字形の溝を備え、これに対応するドライバーを用いても良い。
【００３４】
図４及び図５に示したように、ＥＳＳパックの前面及び背面カバープレート１２、１４に締結部１１０が完全に締結されれば、掛金部１２０とヘッド部１３０は、ＥＳＳパックケース１０の背面に対して（図４のＹ軸方向に）突出する。
【００３５】
掛金部１２０とヘッド部１３０とは、直径が相違に形成される。図５及び図６を参照してより具体的に説明すれば、掛金部の直径Ｄ１は、少なくとも後述する係止部２２１の開口２２２に通過できるほどの直径を有し、ヘッド部の直径Ｄ２は前記掛金部１２０よりも大きい直径を有する。
【００３６】
また、ヘッド部の直径Ｄ２は、係止部２２１がマウントユニット１００に対して垂直方向（Ｙ軸方向）へ離脱しないように係止部２２１の係止空間２２３の前後方向の幅Ｔ３よりも直径が大きく形成される。
【００３７】
次に、ハンドルユニット２００を見れば、ハンドルユニット２００は、ハンドルバー２１０及びロッキングバー２２０から構成される。ハンドルバー２１０及びロッキングバー２２０は、重量物であるＥＳＳパックの荷重に耐えられるように一体で連結された金属材質の一体型構造物として製作され得る。勿論、ハンドルバー２１０とロッキングバー２２０とを相互分離可能に構成することも可能である。
【００３８】
ハンドルバー２１０とロッキングバー２２０とがなす角度θは、９０°以上であり得る。通常のＥＳＳパックは、ほぼ直方体の形態であり、ロッキングバー２２０は（図２参照）、ＥＳＳパックの背面に位置したマウントユニット１００の掛金部１２０に装着され得る。このようにハンドルバー２１０がロッキングバー２２０に対して９０°以上の角度をなすようにハンドルユニット２００を構成することで、作業者はＥＳＳパックの正面に立ってハンドルバー２１０を容易に把持することができる。
【００３９】
図２とともに図５〜図７を参照すれば、ロッキングバー２２０は、少なくとも掛金部１２０の長さＬよりも小さい厚さＴ１を有するプレートの形態として設けられ得る。そして、ロッキングバー２２０には、ロッキングバー２２０の長手方向に沿って所定間隔ごとに係止部２２１を備えてもよい。例えば、相互離隔して配置されたマウントユニット１００に一対一対応可能にロッキングバー２２０の上において相互離隔した位置に複数個の係止部２２１が形成され得る。
【００４０】
本実施例において、ロッキングバー２２０は、総四つの係止部２２１を備えているが、本発明の権利範囲がこれに限定されないことは勿論である。例えば、ＥＳＳパックのサイズと重量及び相応するマウントユニット１００の個数に応じて係止部２２１の個数はいくらでも変更し得る。
【００４１】
係止部２２１は、ロッキングバー２２０の厚さを形成する一面から内側方向へプレートが凹んで形成された空間であり得る。このような係止部２２１は、開口２２２及び係止空間２２３を含む。
【００４２】
開口２２２の幅Ｔ２は、掛金部の直径Ｄ１よりも大きいか同一であり、ヘッド部の直径Ｄ２よりも小さく形成される。これによって、マウントユニット１００のうち掛金部１２０のみが開口２２２を通過することができる。
【００４３】
係止空間２２３は、開口２２２から内側へ拡張して形成された空間であって、図６に示したように、開口２２２の形成方向と同一な前後方向の空間幅Ｔ３が、前記前後方向と交差する上下方向の空間幅Ｔ４よりも狭く形成される。そして、前記前後方向の空間幅Ｔ３は、マウントユニット１００のヘッド部１３０の直径よりも小さく形成される。これによって、例えば、ＥＳＳパックケース１０に結合したマウントユニット１００の掛金部１２０が係止空間２２３に位置するようにロッキングバー２２０を装着すれば、ロッキングバー２２０は、パックケース１０とマウントユニット１００のヘッド部１３０との間に拘束される。
【００４４】
本実施例の場合、係止空間２２３の中心領域に開口２２２が位置し、係止部２２１は、ほぼ英字「Ｃ」の形態をなし得る。この場合、係止空間２２３内に掛金部１２０が位置できる範囲が広くなり、開口２２２を中心にして掛金部１２０が係止空間２２３の上下方向に全て掛けられることで、マウントユニット１００にハンドルユニット２００をより多様な方式で装着することができる。例えば、ハンドルユニット２００を上下反転して装着するか、ＥＳＳパックの正面方向と背面方向のいずれか一方を選択して装着してもよい。
【００４５】
図８及び図９は、本発明の一実施例によるハンドルユニット２００とマウントユニット１００の付着前後の状態を示す部分拡大斜視図であり、図１０は、本発明の一実施例によるハンドルユニット２００を付着したＥＳＳパックの背面図である。
【００４６】
以下、これらの図面を参照し、ハンドルユニット２００とマウントユニット１００の着脱方法を簡略に説明する。
【００４７】
サイズが大きい大容量のＥＳＳパックには（図４参照）、前述のようにＥＳＳ  パックケース１０の背面の左側エッジ部分に上下方向へ第１マウントユニット群Ｇ１が配置され、ＥＳＳパックケース１０の背面の右側エッジ部分に上下方向へ第２マウントユニット群Ｇ２が配置され得る。この場合、ハンドルユニット２００は、前記第１マウントユニット１００に着脱する第１ハンドルユニット２００及び前記第２マウントユニット１００に着脱する第２ハンドルユニット２００を含み得る。
【００４８】
第１ハンドルユニット２００と第２ハンドルユニット２００の着脱方法は同一であることから、いずれかの着脱方法の説明をもって残りの一つの着脱方法の説明を代わりにする。
【００４９】
先ず、ロッキングバー２２０の係止部２２１が第１マウントユニット群Ｇ１の各マウントユニット１００と同一の高さに位置するように第１ハンドルユニット２００を垂直に立てる。この際、係止部２２１の開口２２２がマウントユニット１００の掛金部１２０に向けるようにする。
【００５０】
その次に、係止部２２１の開口２２２を通してマウントユニット１００の掛金部１２０が係止空間２２３の中に入るように第１ハンドルユニット２００をＥＳＳパックケース１０の背面に密着させる。図示したように、ロッキングバー２２０の厚さ分だけＥＳＳパックケース１０の背面に段差を形成し、第１  ハンドルユニット２００をＥＳＳパックケース１０の背面の段差面１４ａに密着させることが望ましい。
【００５１】
続いて、第１ハンドルユニット２００を垂直上方に持ち上げてマウントユニット１００の掛金部１２０がロッキングバー２２０の係止部２２１に完全にかかるようにする。第１ハンドルユニット２００の分離方法は、付着の逆順に行えば良い。
【００５２】
二人の作業者は、このような方式で、図１０に示したように、第１ハンドルユニット２００及び第２ハンドルユニット２００をＥＳＳパックの第１マウントユニット群Ｇ１及び第２マウントユニット群Ｇ２に各々付着した後、ＥＳＳパックを所望の位置に持ち上げ、壁体に予め設けられているＥＳＳパックハンガー（図示せず）に設置することができる。参照までに、ＥＳＳパックの背面カバープレート１４には、前記ハンガーに装着可能なブラケット１６とＥＳＳパックの放熱のための放熱板１８とが備えられ得る。
【００５３】
このような本発明の一実施例によるＥＳＳパック設置用ジグセット２０によれば、従来のＥＳＳパックの取っ手を把持してＥＳＳパックを持ち上げる場合に比べ、ＥＳＳパックの荷重をより安定的に支持することができる。特に、サイズが非常に大きいＥＳＳパックの場合、取っ手があるとしても作業者同士の呼吸が合わなければ安全にＥＳＳパックを持ち上げて壁体に設置しにくいが、本実施例のジグセット２０を使う場合、二人の作業者が各々両手でハンドルユニット２００を把持することができることで、完全に力を込めてＥＳＳパックを持ち上げて壁体に設置することができる。
【００５４】
さらに、マウントユニット１００は、ＥＳＳパックの運搬に用いられるジグセット２０の構成であるだけでなく、ＥＳＳパックのケース１０の組立部品を締結する用途としても使用することができる。言い換えれば、本発明によるジグセット２０を適用する場合、ＥＳＳパックは、設置時に一回性の運搬用途としてのみ用いられていた取っ手を構成から省略することができ、その代りに、マウントユニット１００をＥＳＳパックの運搬及びケース本体組立用の必須部品として使うことができる。この場合、既存の取っ手構成を含むＥＳＳパックに比べ、本実施例が適用されるＥＳＳパックは製造コストを節減することができる。
【００５５】
図１１は、本発明の実施例の変更例を示した図であって、図６に対応する図である。
【００５６】
同一の部材番号は同一の部材を示し、同一の部材についての重複する説明は省略する。
【００５７】
本実施例の変形例として、係止部２２１は、開口２２２が係止空間２２３に向けて先細になる形態で構成し得る。例えば、図１１に示したように、係止空間２２３に向けて開口２２２の直径が漸進的に細くなるように構成され得る。この際、開口２２２の最小直径は、マウントユニット１００の掛金部１２０の直径とほぼ一致するように形成し得、最大直径はヘッド部１３０の直径よりは小さく形成し得る。
【００５８】
前述の実施例の場合、ハンドルユニット２００をマウントユニット１００に付着するとき、係止部２２１の開口２２２とマウントユニット１００の掛金部１２０とが同一線上に正確に位置しない状態でロッキングバー２２０をマウントユニット１００の方向に密着させれば、掛金部１２０が係止空間２２３に入り込まず、掛金部１２０によって開口２２２の周辺部位が損傷し得る。
【００５９】
しかし、本変形例の場合、開口２２２と掛金部１２０との間に若干の位置ずれがある上記のような状況において、掛金部１２０が開口２２２の傾斜面２２２ａに沿って係止空間２２３の中にガイドされることで開口２２２周辺の破損を防止することができ、ハンドルユニット２００とマウントユニット１００との付着がさらに容易になる。また、開口２２２の傾斜面２２２ａの端部が係止空間２２３の内側に位置することで、前述の実施例に比べて掛金部１２０が係止部２２１からさらに離脱しにくくなり、安全性をより向上させることができる。
【００６０】
以上、本発明の望ましい実施例について図示して説明したが、本発明は上述した特定の望ましい実施例に限定されず、請求範囲で請求する本発明の要旨から外れることなく当該発明が属する技術分野における通常の知識を持つ者であれば、だれでも多様に変形できることは言うまでもなく、かかる変形は請求範囲内に含まれる。
【００６１】
なお、本明細書において、上、下、左、右、前、後のような方向を示す用語が使用されたが、このような用語は相対的な位置を示し、説明の便宜のためのものであるだけで、対象となる事物の位置や観測者の位置などによって変わり得ることは、当業者にとって自明である。
【符号の説明】
【００６２】
１  ＥＳＳパック
２  取っ手
１０  ＥＳＳパックケース
１２  前面カバープレート
１４  背面カバープレート
１６  ブラケット
１８  放熱板
２０  ＥＳＳパック設置用ジグセット
１００  第１マウントユニット、第２マウントユニット
１１０  締結部
１２０  掛金部
１３０  ヘッド部
２００  第１ハンドルユニット、第２ハンドルユニット
２１０  ハンドルバー
２２０  ロッキングバー
２２１  係止部
２２２  開口
２２３  係止空間
Ｇ１  第１マウントユニット群
Ｄ１  直径
Ｇ２  第２マウントユニット群
Ｄ２  直径
Ｔ２  幅
Ｔ３  空間幅
Ｔ４  空間幅
【図１】
2019511814.tif 000003
【図２】
2019511814.tif 000004
【図３】
2019511814.tif 000005
【図４】
2019511814.tif 000006
【図５】
2019511814.tif 000007
【図６】
2019511814.tif 000008
【図７】
2019511814.tif 000009
【図８】
2019511814.tif 000010
【図９】
2019511814.tif 000011
【図１０】
2019511814.tif 000012
【図１１】
2019511814.tif 000013
【国際調査報告】
2019511814.tif 000014
2019511814.tif 000015
2019511814.tif 000016
2019511814.tif 000017